(57)【要約】【課題】ペット用品の提供。【解決手段】ペット用品の構造は、前板、後板、左側板、右側板、底板、及び、蓋を箱体に組み立て、前板外側面に複数の水平固定板を排列設置し、各相隣する固定板の間は槽を有し、槽は容器を取り付ける承架と、ポット固定架を有する昇降承架を設置し、ペットの成長過程で、犬の体型の大きさにより、承架を移動させ、昇降承架の高度を調整することができる。【選択図】図１
0003138122.tif 000002
【実用新案登録請求の範囲】
【請求項１】
ペット用品の構造であって、前板、後板、左側板、右側板、底板、仕切り板、及び、蓋を箱体に組み立ててなり、前記前板外側面に複数の水平固定板を排列設置し、各相隣する固定板の間は槽を有し、前記槽は容器を取り付ける承架と、ポット固定架を有する昇降承架を設置し、ペットの成長過程で、犬の体型の大きさにより、承架を移動させ、昇降承架の高度を調整し、
前記箱体の蓋は、ヒンジにより前記後板頂縁に設置され、前記蓋を開く時、前記後板の縁の支承を受け、前記蓋内側周囲は緩衝素子を固設し、前記蓋の蓋合時、消音減振の緩衝効果を有し、二個を併接した仕切りは、飼料収納棚を上下容置空間に区切り、使用者は、飼料やペット用品を収納し、
前記箱体の前板頂部は、三角形の屋根を設置し、前記前板、前記固定板、及び、前記屋根が共同でペットの出入口を形成し、前記蓋は前記前板のリブと前記後板のリブの間に可動設置させ、出入口前方に踏み板を設置して、ペット小屋を構成し、その内部は大型のペットの休憩空間になることを特徴とするペット用品の構造。
【請求項２】
前記承架板面上に、一つ、或いは、一つ以上の容置通孔を設置し、前記容置通孔は、飼料を盛る、及び、水を入れる容器を承納することを特徴とする請求項１に記載のペット用品の構造。
【請求項３】
前記踏み板底面は、数個のT字型嵌合部を有し、前記踏み板の嵌合部により前板の槽中に可動穿入して、定位し、且つ、前記踏み板は出入り口を遮蔽して、門を形成し、略H字型素子により、前記踏み板の嵌合部を前記前板の固定板上に定位することを特徴とする請求項１に記載のペット用品の構造。
【考案の詳細な説明】
【技術分野】
【０００１】
本考案はペット用品に関するものであって、特に、ペットの体型の大きさにより、容器を取り付ける承架とポット固定架を取り付ける承架昇降ユニットを槽の適当な位置に配置し、ペットが快適な姿勢で飼料を食べ、水を飲むことが出来、大型、或いは、小型のペットにも適用できる構造に関する。
【背景技術】
【０００２】
ペット用品の設計、或いは、改良は、ペットを観察したり、飼い主の行為によって生まれるもので、本案で検討するのは、餌を与える行為についてであり、犬を例とすると、飼い主が餌をやる時、多くが容器中に餌を盛り、その容器を地面に放置する。小型犬は頭を下げて食べるが、大型犬は、大きな角度で頭を下げなければならないので、飲み込むのが大変である。この他、地面に放置された容器は、犬にひっくり返されて、餌が地面に散らばることがあり、手入れが面倒である。また、犬が地面に落ちた餌を食べるのも健康に害がある。よって、ペットの餌の容器は、犬の体型により餌を置く高度が変えられることが望ましい。
【考案の開示】
【考案が解決しようとする課題】
【０００３】
本考案は、ペット用品の構造で、ペットの体型により餌を置く高度を調整できる構造を提供することを目的とする。
【課題を解決するための手段】
【０００４】
本構造は直方体で、前板外側面に複数の水平固定板を排列設置し、各相隣する固定板の間は槽を有し、槽は容器を取り付ける承架と、ポット固定架を取り付ける昇降承架を設置し、ペットは幼犬から成犬になるまでの成長過程で、犬の体型の大きさにより承架を移動、昇降承架の高度を調整し、各成長段階のペットが、快適な姿勢で餌や水を摂取できる。
【考案の効果】
【０００５】
本考案のペット用品の構造は、ペットの体型により餌を置く高度を調整でき、ペットが快適に餌を食べたり、水を飲んだりすることができる。
【考案を実施するための最良の形態】
【０００６】
まず、図１〜図３で示されるように、本考案のペット用品の構造は、前板１１、後板１２、左側板１３、右側板１４、底板１５、仕切り板１６、及び、蓋１７を箱体に組み立てる。
【０００７】
前板１１外側面は複数の水平固定板１１１を排列設置し、相隣する固定板１１１の間は槽１１２を有し、槽１１２は承架１８を嵌設し、槽１１２でポット固定架２０の昇降承架１９を嵌置する。前板１１内側面は底リブ１１３と中リブ１１４を有する。
【０００８】
後板１２頂縁は、ヒンジ１２１により蓋１７を取り付け、頂縁外側面は縁１２２を突出し、後板１２内側面に底リブ１２３と中リブ１２４を分布する。
【０００９】
左側板１３と右側板１４は対称で、外側面の適当な箇所にとって１４１を有する。
【００１０】
底板１５は前板１１の底リブ１１３と後板１２の底リブ間１２３間に設置される。
【００１１】
仕切り板１６は、二個の相同の板を合わせてなり、前板１１の中リブ１１４と後板１２の中リブの間に設置され、箱体を上下二個の容置空間に隔て、板面上は穿孔１６１を有し、使用者が指を入れやすくなっている。
【００１２】
蓋１７はヒンジ１２１により後板１２頂縁に設置され、蓋１７を開く時、後板１２の縁１２２の支承を受け、蓋１７内側周囲は、緩衝素子１７１を固設し、蓋１７の蓋合時、消音減振の緩衝効果を有する。
【００１３】
承架１８側面は嵌合部１８１を有し、中央に容器１８３を承納する容置通孔１８２を有し、嵌合部１８１により前板１１の槽１１２中に定位する。
【００１４】
昇降承架１９一面はT字型嵌合部１９１を有し、その上に長形の通孔１９２を有し、長形の通孔１９２はポット固定架２０高低を随意に調整できる。
【００１５】
図１、図４、及び、図５で示されるように、承架１８板面上に、一つ、或いは、それ以上の容置通孔１８２を有し、容置通孔１８２は、ペットの飼料や水を盛る容器１８３をそれぞれ承納する。
【００１６】
上述の構成素子により、箱体の飼料収納棚を構成し、内部は、上下二個の空間を有し、使用者は、ペットの飼料と関係する用品を収蔵することができる。
【００１７】
図６で示されるように、本考案の飼料収納棚は、ペットの体型の大小により、承架１８と昇降承架１９を取り付ける前板１１の槽１１２の高低を適当な位置に調節でき、ペットが快適な姿勢で餌を食べたり、水を飲んだりすることができ、どのような大きさのペットであっても適用できる。
【００１８】
図７〜図９は、本考案のペット用品の構造のもう一つの具体例を示す図であり、前板３１、後板３２、左側板３３、右側板３４、底板３５、仕切り板３６を箱体に組み立てる。
【００１９】
前板３１外側面は複数の水平固定板３１１を排列設置し、相隣する固定板３１１の間は槽３１２を有し、槽３１２は、承架１８とポット固定架２０を取り付ける昇降承架１９を嵌置する。前板３１内側面は底リブ３１３と中リブ３１４を有し、且つ、頂部に三角形の屋根３１５を設置し、前板３１、固定板３１１、及び、屋根３１５が共同でペットの出入口３１６を形成する。
【００２０】
後板３２内側面に底リブ３２１と中リブ３２２を分布する。
【００２１】
左側板３３と右側板３４は対称で、板面の適当な箇所に長通孔３３１、３４１を有し、手を入れて持ち、箱体を移動することができる。
【００２２】
底板３５は、多段の板体３５１を排列してなり、各板体３５１の間にギャップ３５２を有し、前板３１の底リブ３１３と後板３２の底リブ間３２１間に設置される。
【００２３】
蓋３６は四角形の板体で、適当な箇所に長通孔３６１を有し、前板３１の頂リブ３１４と後板３２の頂リブ３２２間に可動設置され、手を長通孔３６１に入れて、蓋３６を開閉することができる。
【００２４】
承架１８側面は嵌合部１８１を有し、中央に容器１８３を承納する容置通孔１８２を有し、嵌合部１８１により前板３１の槽３１２中で定位する。
【００２５】
昇降承架１９一面はT字型嵌合部１９１を有し、その上に長形の通孔１９２を有し、長形の通孔１９２はポット固定架２０高低を随意に調整できる。
【００２６】
上述のような素子により、直方体のペット小屋を組成し、内部は、大型のペットの休憩空間で、ペットは出入口３１６から進出入することが出来、ペットの出入口３１６前方は踏み板３７を有し、踏み板３７底面は数個のT字型嵌合部３７１を有し、図１０、図１１で示されるように、踏み板３７の嵌合部３７１により前板３１の槽３１２中に可動穿入して、定位し、且つ、踏み板３７は出入り口３１６を遮蔽して、門を形成し、略H字型素子３８により、踏み板３７の嵌合部３７１を前板３１の固定板３１１上に定位する。
【００２７】
図１２で示されるように、本考案のペット小屋はペットの体形の大小により、承架１８と昇降承架１９を、前板の槽３１２の高低で適当な位置に調整できるので、ペットは快適な姿勢で飼料や水を摂取し、これにより、どのような大型、小型のペットにも適用できる。
【図面の簡単な説明】
【００２８】
【図１】本考案の局部分解立体図である。
【図２】本考案の組み合わせ内部図である。
【図３】本考案の組み合わせ立体図である。
【図４】本考案の承架のもう一つの実施例図である。
【図５】本考案の図４の組み合わせ図である。
【図６】本考案の承架と昇降承架の高低調整図である。
【図７】本考案のもう一つの実施例の局部分解立体図である。
【図８】本考案のもう一つの実施例の組み合わせ内部図である。
【図９】本考案のもう一つの実施例の組み合わせ立体図である。
【図１０】本考案のもう一つの実施例の使用例図１である。
【図１１】本考案のもう一つの実施例の使用例図２である。
【図１２】本考案のもう一つの実施例の承架と昇降承架の高低調整図である。
【符号の説明】
【００２９】
１１  前板
１１１  固定板
１１２  槽
１１３  底リブ
１１４  中リブ
１２  後板
１２１  ヒンジ
１２２  縁
１２３  底リブ
１３  左側板
１４  右側板
１４１  とって
１５  底板
１６  仕切り板
１６１  穿孔
１７  蓋
１７１  緩衝素子
１８  承架
１８１  嵌合部
１８２  容置通孔
１８３  容器
１９  昇降承架
１９１  嵌合部
１９２  長形通孔
２０  ポット固定架
３１  前板
３１１  固定板
３１２  槽
３１３  底リブ
３１４  頂リブ
３１５  屋根
３１６  出入口
３２  後板
３２１  底リブ
３２２  頂リブ
３３  左側板
３３１  長通孔
３４  右側板
３４１  長通孔
３５  底板
３５１  板体
３５２  ギャップ
３６蓋
３６１  長通孔
３７  踏み板
３７１  嵌合部
３８  略H字型素子
【図１】
0003138122.tif 000003
【図２】
0003138122.tif 000004
【図３】
0003138122.tif 000005
【図４】
0003138122.tif 000006
【図５】
0003138122.tif 000007
【図６】
0003138122.tif 000008
【図７】
0003138122.tif 000009
【図８】
0003138122.tif 000010
【図９】
0003138122.tif 000011
【図１０】
0003138122.tif 000012
【図１１】
0003138122.tif 000013
【図１２】
0003138122.tif 000014